(57)【要約】【課題】洗濯のための空間以外に別途の空間を提供できる衣類処理装置を提供する。【解決手段】本発明は、洗濯対象物の投入及び取り出しが可能な開口部が設けられたキャビネットと、キャビネットの内部に位置し、開口部に投入される洗濯対象物を処理する第１空間とが備えられた第１処理装置と、洗濯対象物を処理する第２空間を備え、第１処理装置の下部に位置する第２処理装置と、開口部が位置するキャビネットの一面に設けられ、第２処理装置の前方面から遠ざかる方向に突出した傾斜部が設けられた衣類処理装置に関するものである。【選択図】図１
2014527448.tif 000002
【特許請求の範囲】
【請求項１】
外観を形成し、洗濯対象物の投入及び取り出しが可能な開口部が設けられたキャビネットと、前記キャビネットの内部に位置し、前記開口部に投入される洗濯対象物を処理する第１空間と、前記開口部を開閉するドアとが備えられた第１処理装置と、
洗濯対象物を処理する第２空間を備え、前記第１処理装置の下部に位置する第２処理装置と、を含み、
前記開口部が位置する前記キャビネットの一面には、前記開口部が形成された傾斜部が設けられ、
前記傾斜部は、前記第２処理装置の前方面に対して傾斜して設けられ、前記傾斜部の下部方向に沿って、前記第２処理装置の前方面から突出して設けられることを特徴とする、衣類処理装置。
【請求項２】
前記傾斜部は、第１傾斜面及び第２傾斜面を含み、
前記第１傾斜面は、前記第２処理装置の前方面に対して傾斜して設けられ、前記第１傾斜面の下部方向に沿って、前記第２処理装置の前方面から突出して設けられ、
前記第２傾斜面は、前記第１傾斜面から延び、前記第２処理装置の前方面に対して傾斜して設けられ、前記第２傾斜面の上部方向に沿って、前記第２処理装置の前方面から突出して設けられることを特徴とする、請求項１に記載の衣類処理装置。
【請求項３】
前記第１傾斜面と前記第２傾斜面とが会う領域は、前記第２処理装置の前方面に対して最も遠く突出することを特徴とする、請求項２に記載の衣類処理装置。
【請求項４】
前記開口部は前記第１傾斜面に設けられることを特徴とする、請求項２又は３に記載の衣類処理装置。
【請求項５】
前記第２処理装置の前方面は、地面に対して実質的に垂直面を形成することを特徴とする、請求項１ないし４のいずれか一項に記載の衣類処理装置。
【請求項６】
前記第１空間は、前記キャビネットの内部に回転可能に設けられるドラムとして備えられ、
前記ドラムは、前記開口部に連通するドラム開口部を含んで前記キャビネットの内部に所定角度だけ傾斜して設けられることを特徴とする、請求項１ないし５のいずれか一項に記載の衣類処理装置。
【請求項７】
前記ドアは、前記第１傾斜面に設けられ、前記第１傾斜面の８０〜９０％以上の領域を覆うことを特徴とする、請求項２ないし６のいずれか一項に記載の衣類処理装置。
【請求項８】
前記開口部が設けられた前記キャビネットの一面は、
前記第２傾斜面から延び、前記第２処理装置の前方面と並んだ面を形成する直線部をさらに含むことを特徴とする、請求項２ないし７のいずれか一項に記載の衣類処理装置。
【請求項９】
前記第１空間は、前記キャビネットの内部に位置して前記ドラムを収容し、洗濯対象物の処理のための水が貯蔵されるタブをさらに含み、
前記タブは、前記開口部及び前記ドラム開口部と連通するタブ開口部を設けて、前記キャビネットの内部に傾斜して設けられることを特徴とする、請求項１ないし８のいずれか一項に記載の衣類処理装置。
【請求項１０】
前記タブの最下端の高さは、
前記第１処理装置の高さと前記第２処理装置の高さとを加算した値の半分以上であることを特徴とする、請求項９に記載の衣類処理装置。
【請求項１１】
前記第１処理装置は、前記タブの下部と前記キャビネットの底面との間に設けられる収納空間をさらに含むことを特徴とする、請求項１ないし１０のいずれか一項に記載の衣類処理装置。
【請求項１２】
前記収納空間は、前記直線部から引き出し可能なドロアとして備えられることを特徴とする、請求項１１に記載の衣類処理装置。
【請求項１３】
前記直線部には、前記収納空間への接近のための開閉手段がさらに設けられることを特徴とする、請求項１１に記載の衣類処理装置。
【請求項１４】
前記第１傾斜面は、前記ドラムに向かって折れ曲がって設けられる収納部をさらに含み、
前記開口部は前記収納部に設けられ、前記ドアは前記収納部に挿入されることを特徴とする、請求項２ないし１４のいずれか一項に記載の衣類処理装置。
【請求項１５】
前記ドアは、前記開口部の閉鎖時に前記収納部から突出しないことを特徴とする、請求項１４に記載の衣類処理装置。
【発明の詳細な説明】
【技術分野】
【０００１】
本発明は、衣類処理装置に関する。
【背景技術】
【０００２】
一般に、衣類処理装置は、洗濯を行う洗濯装置、乾燥を行う乾燥装置、乾燥及び洗濯を共に行うことができる乾燥兼用洗濯装置を含む概念である。
【０００３】
ここで、乾燥兼用洗濯装置は、一つの装置で洗濯と乾燥を全て行うことができるが、内部構成が複雑になり、さらに、装置の内部空間の活用度が低下する。
【０００４】
すなわち、洗濯装置に乾燥機能を持たせる場合、タブ及びドラムのような構成品以外に、乾燥のための装置を別途に備えなければならないため、洗濯装置の内部に乾燥に必要な装置を設置できる空間が要求されるだけでなく、洗濯装置の内部に乾燥に必要な装置が設置されることによって洗濯装置の内部空間が複雑になる。
【０００５】
したがって、従来の乾燥兼用洗濯装置は、収納空間のような別途の空間を装置の内部に設けることが難しいという問題があった。
【０００６】
一方、洗濯だけを行う洗濯装置や乾燥だけを行う乾燥装置は、次のような問題があった。
【０００７】
図６は、一つの洗濯装置３００の下部にドロア（ｄｒａｗｅｒ）タイプの別途の空間を備えた従来の洗濯装置を示すもので、ドロア３２０は、洗濯装置のキャビネット３１０に直接設けられる。すなわち、ドロア３２０は別途の装置に設けられていない。
【０００８】
この場合、洗濯装置の設置のためには、ドロアを含む洗濯装置全体の高さに該当する設置空間が必要である。したがって、このような洗濯装置の場合、大きな設置空間を要求するだけでなく、使用者にドロアが除外された製品を提供できなくなる。
【０００９】
また、下部ドロアが、別途の装置、すなわち、ペデスタルなどにより供給されるとしても、ドロアの上部に位置した装置は内部構成が複雑であるため内部に余裕空間が少ない。そのため、上部装置に使用者のための別途の空間を提供することが難しいという問題があった。
【００１０】
さらに、従来の洗濯装置の前面部は地面に対して垂直に設けられており、使用者が洗濯対象物を投入することが容易でないという問題点がある。
【発明の概要】
【発明が解決しようとする課題】
【００１１】
本発明は、上述したように、洗濯のための空間以外に別途の空間を提供できる衣類処理装置を提供することを目的とする。
【００１２】
さらに、本発明は、腰を曲げずに洗濯対象物を投入できる衣類処理装置を提供することを目的とする。
【課題を解決するための手段】
【００１３】
上述した課題を解決するために、本発明は、外観を形成し、洗濯対象物の投入及び取り出しが可能な開口部が設けられたキャビネットと、前記キャビネットの内部に位置し、前記開口部に投入される洗濯対象物を処理する第１空間と、前記開口部を開閉するドアとが備えられた第１処理装置と、洗濯対象物を処理する第２空間を備え、前記第１処理装置の下部に位置する第２処理装置と、を含み、前記開口部が位置する前記キャビネットの一面に傾斜部が設けられ、前記傾斜部には前記開口部が設けられ、前記傾斜部は、前記第２処理装置の前方面に対して傾斜して設けられ、前記傾斜部の下部方向に沿って、前記第２処理装置の前方面から突出して設けられることができる。
【００１４】
本発明の他の実施例は、洗濯対象物の投入及び取り出しが可能な開口部が設けられたキャビネットと、前記キャビネットの内部に位置し、前記開口部に投入される洗濯対象物を処理する第１空間とが備えられた第１処理装置と、洗濯対象物を処理する第２空間を備え、前記キャビネットの下部に位置する第２処理装置と、前記開口部が位置する前記キャビネットの一面に設けられ、前記第２処理装置の前方面から遠ざかる方向に突出した傾斜部が設けられた衣類処理装置を提供する。
【００１５】
前記傾斜部は、第１傾斜面及び第２傾斜面を含むことができ、前記第１傾斜面は、前記第２処理装置の前方面に対して傾斜して設けられ、前記第１傾斜面の下部方向に沿って、前記第２処理装置の前方面から突出して設けられることができ、前記第２傾斜面は、前記第１傾斜面から延び、前記第２処理装置の前方面に対して傾斜して設けられ、前記第２傾斜面の上部方向に沿って、前記第２処理装置の前方面から突出して設けられることができる。
【００１６】
前記第１傾斜面と前記第２傾斜面とが会う領域は、前記第２処理装置の前方面に対して最も遠く突出することができる。
【００１７】
前記開口部は、前記第１傾斜面に設けることができる。
【００１８】
前記第２処理装置の前方面は、地面に対して実質的に垂直面を形成することができる。
【００１９】
前記第１空間は、前記キャビネットの内部に回転可能に設けられるドラムとして備えられ、前記ドラムは、前記開口部に連通するドラム開口部を含んで前記キャビネットの内部に所定角度だけ傾斜して設けることができる。
【００２０】
前記ドアは、前記第１傾斜面に設け、前記第１傾斜面の８０〜９０％以上の領域を覆うように設けることができる。
【００２１】
前記開口部が設けられた前記キャビネットの一面は、前記第２傾斜面から延び、前記第２処理装置の前方面と並んだ面を形成する直線部をさらに含むことができる。
【００２２】
前記第１空間は、前記キャビネットの内部に位置して前記ドラムを収容し、洗濯対象物の処理のための水が貯蔵されるタブをさらに含み、前記タブは、前記開口部及び前記ドラム開口部と連通するタブ開口部を備えて、前記キャビネットの内部に傾斜して設けることができる。
【００２３】
前記タブの最下端の高さは、前記第１処理装置の高さと前記第２処理装置の高さとを加算した値の半分以上とすることができる。
【００２４】
前記第１処理装置は、前記タブの下部と前記キャビネットの底面との間に設けられる収納空間をさらに含むことができる。
【００２５】
前記収納空間は、前記直線部から引き出し可能なドロアとして備えることができる。
【００２６】
前記直線部には、前記収納空間への接近のための開閉手段をさらに設けることができる。
【００２７】
前記第１傾斜面は、前記ドラムに向かって折れ曲がって設けられる収納部をさらに含み、前記開口部は前記収納部に設けられ、前記ドアは前記収納部に挿入可能である。
【００２８】
前記ドアは、前記開口部の閉鎖時に前記収納部から突出しないように設けることができる。
【発明の効果】
【００２９】
本発明は、洗濯や乾燥のための空間以外に収納空間のような別途の空間を提供できる支持部を設けることで、使用者にとって衣類処理装置の活用度を高めることができる。
【００３０】
この場合、支持部は第１処理装置に設けられることで、衣類処理装置に第２処理装置が備えられなくても、第１処理装置に設けられた洗濯や乾燥のための空間と区別される別途の空間を提供することができる。
【００３１】
また、本発明は、衣類処理装置の設置空間に応じて、使用者が第２処理装置を設置するか否かを選択できるようにする衣類処理装置を提供することができる。
【００３２】
さらに、本発明の衣類処理装置は、洗濯対象物が投入される面が傾斜して設けられることで、使用者が腰を曲げなくても洗濯対象物を投入することができる。
【００３３】
また、本発明の衣類処理装置は、洗濯対象物が投入または取り出される開口部が、衣類処理装置の前方面から遠ざかる方向に突出して設けられることによって、洗濯対象物の投入や取り出しが容易である。
【図面の簡単な説明】
【００３４】
【図１】本発明の衣類処理装置の一例を示す正面図である。
【図２】図１に示された洗濯装置の側面図である。
【図３】ドアが開放された洗濯装置の正面図である。
【図４】図１に示された乾燥装置の正面図で、ドアが開放された状態を示す。
【図５】洗濯装置に設けられた第２処理装置のドロアが引き出された状態を示す斜視図である。
【図６】従来の洗濯装置を示す斜視図である。
【発明を実施するための形態】
【００３５】
以下、図面を参照して、本発明の様々な実施例に係る洗濯装置について説明する。
【００３６】
図１は、洗濯装置１００と乾燥装置２００が結合された本発明の衣類処理装置１０の正面図である。
【００３７】
一般に、衣類処理装置は、洗濯を行う洗濯装置、乾燥を行う乾燥装置、乾燥及び洗濯を共に行うことができる乾燥兼用洗濯装置を含む概念である。
【００３８】
乾燥兼用洗濯装置の場合、一つの装置により洗濯及び乾燥を全て行うことができるが、洗濯及び乾燥を共に行うためには装置の内部構成が複雑になる。したがって、乾燥兼用洗濯装置の場合、洗濯及び乾燥のための空間と分離された別途の空間（収納空間など）を設けることが難しいという構造的な短所があるため、本発明の衣類処理装置は、洗濯装置１００と乾燥装置２００とを機能的に分離して備えることが好ましい。
【００３９】
すなわち、本発明の衣類処理装置１０は、図１に示すように、洗濯装置１００と乾燥装置２００とが結合されて備えられる場合にも、洗濯装置は洗濯と関連した機能だけを行い、乾燥装置は乾燥と関連した機能だけを行うようにすることが好ましい。また、本発明の衣類処理装置１０は、図１に示されたものとは異なり、洗濯と関連した機能だけを行う洗濯装置１００のみを備えてもよく、乾燥と関連した機能だけを行う乾燥装置２００のみを備えてもよい。
【００４０】
一方、図１に示された本発明の衣類処理装置の洗濯装置及び乾燥装置はその構成が似ているので、以下では、洗濯装置を中心にして本発明の衣類処理装置について説明し、乾燥装置は洗濯装置と差がある点を中心に説明する。
【００４１】
図１及び図２に示すように、本発明の洗濯装置１００は、洗濯対象物の処理（洗濯など）のための第１空間１２２が設けられた第１処理装置１１０（第１洗濯装置）と、第１処理装置の下部に設けられ、洗濯対象物の処理のための第２空間１１２を提供する第２処理装置１１３（第２洗濯装置）とを含む。
【００４２】
第１処理装置１１０は、外観を形成するキャビネットと、キャビネットの内部に設けられる第１空間１２２と、第１空間１２２に洗濯対象物を投入したり、または第１空間から洗濯対象物を取り出したりするためにキャビネットに設けられる開口部１１９（図３参照）とを含むことができる。
【００４３】
開口部１１９はドア１１４により開閉され、洗濯装置に設けられた第１空間１２２は、キャビネットの内部に位置して洗濯水が貯蔵されるタブ１２０、タブの内部に回転可能に設けられるドラム１２１（図３参照）として備えることができる。
【００４４】
この場合、タブ１２０には、開口部１１９と連通するタブ開口部（図示せず）が設けられ、ドラム１２１には、タブ開口部に連通するドラム開口部（図示せず）が設けられる。
【００４５】
第１処理装置１１０は支持部１１１によって支持される。すなわち、支持部１１１は、第１処理装置１１０と第２処理装置１１３との間に位置して第１処理装置１１０を支持するように備えることができる。
【００４６】
支持部１１１は、第１処理装置１１０と別途に設けてもよく、または図１に示すように、第１処理装置１１０と一体に設けてもよい。
【００４７】
支持部１１１が第１処理装置１１０と一体に設けられる場合には、第１処理装置１１０の内部に設けられたタブ１２０の下部を支持部１１１と定義することができる。
【００４８】
すなわち、図２において点線で表示されたタブ１２０の下部及び第２処理装置１１３の上部を支持部１１１と定義することができる。
【００４９】
但し、支持部１１１が第１処理装置１１０と別個に設けられる場合、支持部１１１は、第１処理装置１１０の底面を支持する形態で設けられる。以下では、支持部が第１処理装置と一体に設けられた場合を基準として説明する。
【００５０】
第１空間１２２の下部に支持部１１１が所定の高さを有するように設けられると、支持部１１１の内部の空間を多様に活用できるという効果がある。
【００５１】
すなわち、第１処理装置１１０のキャビネットの内部空間の一部に、ドラム１２１、タブ１２０、ドラムを回転させるための手段（図示せず、モータなど）及び洗濯に必要な装置を配置し、支持部１１１が提供するキャビネットの内部の残りの空間は、収納空間のような付加的な用途の空間として活用することができる。
【００５２】
例えば、支持部１１１によって形成される空間に収納空間を形成する場合、使用者は、洗剤のような洗濯に必要なアクセサリー（ａｃｃｅｓｓｏｒｙ）を収納空間に収納することができる。このような収納空間は、ドロアのように支持部から引き出される形態で提供することができる。但し、収納空間がドロアの形態ではない場合は、支持部１１１の一面に開閉手段を設けて、使用者が収納空間に接近できるようにすることができる。
【００５３】
一方、支持部１１１の下部には、第１処理装置１１０及び支持部１１１を支持し、洗濯対象物に対する付加的な処理を提供する第２空間１１２が設けられた第２処理装置１１３（第２洗濯装置）を備えることができる。
【００５４】
すなわち、第２処理装置１１３は、支持部１１１の下部に設けられて第１処理装置１１０及び支持部１１１を支持し、第１処理装置１１０と区別される洗濯対象物の処理を担当するようにすることができる。
【００５５】
第２処理装置１１３は、前述した第１処理装置１１０及び支持部１１１と一体に設けてもよいが、本発明に係る第２処理装置１１３は、図１に示すように、第１処理装置１１０と別個に設けることが好ましい。
【００５６】
これは、第１処理装置１１０及び支持部１１１の下部に第２処理装置１１３を一体に設ける場合、洗濯装置１００の全体高さが増加してしまい、洗濯装置の設置のために大きな空間が要求されるからである。
【００５７】
第２処理装置１１３が第１処理装置１１０に着脱可能な場合、使用者は、第２処理装置１１３を設置するのに十分な空間が存在すれば、第２処理装置１１３を第１処理装置１１０と共に備え、第２処理装置１１３を設置するのに十分な空間が存在しなければ、第１処理装置１１０及び支持部１１１のみを設置できるようになる。
【００５８】
一方、本発明の衣類処理装置は、第２処理装置１１３を備えなくても、第１処理装置１１０の内部（または第１処理装置の下部）に支持部１１１が備えられるので、使用者に収納空間のような別途の空間を提供できるという効果がある。
【００５９】
第２処理装置１１３を備える場合に、第１処理装置１１０のタブ１２０は、洗濯装置１００が有する高さの半分以上の高さに備えることが好ましい。すなわち、タブ１２０の下端部の高さが、洗濯装置１００が有する高さの半分と同一であるか、またはそれ以上になるように備えることができる。これは、前述したように、支持部１１１の内部に十分な空間を確保するためである。
【００６０】
ここで、洗濯装置１００の高さは、第１処理装置１１０の高さ、支持部１１１の高さ及び第２処理装置１１３の高さの和として定義される。
【００６１】
タブ１２０の下端部が洗濯装置１００の高さの半分以下であると、支持部１１１の内部に十分な空間を確保することが困難である。したがって、タブ１２０の高さ、具体的に、タブ１２０の下端部の高さを制限して、支持部１１１の空間を確保することが好ましい。
【００６２】
第２処理装置１１３は、例えば、引き出し及び引き込みが可能なドロア１６０（図５参照）の形態で提供することができる。すなわち、ドロア１６０の内部を収納空間として活用したり、または洗濯物の処理のための空間として提供したりすることができる。これについては後述する。
【００６３】
一方、本発明の衣類処理装置に備えられる乾燥装置２００も、図１に示すように、洗濯対象物の処理（乾燥など）のための第１空間（図示せず）が設けられた第１処理装置２１０（第１乾燥装置）と、第１処理装置の下部に設けられ、洗濯対象物の処理のための第２空間（図示せず）を提供する第２処理装置２１３（第２乾燥装置）とを含む。
【００６４】
第１処理装置２１０は、外観を形成するキャビネットと、キャビネットの内部に設けられる第１空間と、第１空間に洗濯対象物を投入したり、または第１空間から洗濯対象物を取り出したりするためにキャビネットに設けられる開口部２１９（図４参照）とを含むことができる。
【００６５】
乾燥装置２００の場合、第１空間として、洗濯対象物を収容するためのドラム２２０のみを備えることができる。
【００６６】
この場合、ドラム２２０には、開口部２１９に連通するドラム開口部（図示せず）が設けられ、開口部２１９及びドラム開口部はドア２１４によって開閉される。
【００６７】
一方、第１処理装置２１０と第２処理装置２１３との間には、第１処理装置２１０を支持する支持部２１１が設けられる。
【００６８】
支持部２１１は、洗濯装置の支持部１１１と同様に、第１処理装置２１０と一体に設けてもよく、第１処理装置２１０と分離して設けてもよい。
【００６９】
第２処理装置２１３はドロア（図示せず）として備えることができる。
【００７０】
上述した乾燥装置２００の構造は、第１空間の構造以外には洗濯装置１００の構造と似ているので、詳細な説明は省略する。
【００７１】
洗濯装置１００に設けられた第１処理装置１１０の前方面（開口部が設けられたキャビネットの一面）の少なくとも一部は、支持部１１１の前方面から遠ざかる方向に突出することができる。
【００７２】
すなわち、開口部が設けられた第１処理装置１１０のキャビネットの一面は、支持部１１１や第２処理装置１１３の前方面から遠ざかる方向に突出した傾斜面を含むように備えることができる。
【００７３】
図２に示すように、第１処理装置１１０の前方面が上部から下部に行くほど突出すると、第１処理装置１１０の内部に設けられるタブ１２０及びドラム１２１は前方に向かって上向き傾斜するように備えることができる。
【００７４】
これは、使用者がドア１１４を開放して第１処理装置１１０の内部に洗濯対象物を投入する場合に、より便利に投入するようにするためである。
【００７５】
すなわち、本発明の衣類処理装置は、開口部１１９が支持部１１１や第２処理装置１１２の前方面から遠ざかる方向に突出しているので、使用者は、開口部１１９に、より近く接近することができる。
【００７６】
開口部１１９が第２処理装置１１２や支持部１１１の前方面から遠ざかる方向に突出していない場合、使用者と開口部１１９との間の最小間隔は使用者の足のサイズとなる。しかし、本発明の衣類処理装置のように、開口部１１９が、第２処理装置や支持部の前方面から遠ざかる方向に突出していると、衣類処理装置と使用者との間の最小間隔は使用者の足のサイズに制限を受けないので、使用者は、腰を曲げなくても、開口部１１９に、より近く接近できるようになる。
【００７７】
なお、本発明の衣類処理装置は、ドラム及びタブが傾斜して設けられているので、使用者は、腰を曲げなくても洗濯対象物をドラムに投入できるようになる。
【００７８】
より詳細に説明すると、第１処理装置１１０の前方面（開口部が設けられたキャビネットの一面）は、地面に垂直な仮想の直線を基準に所定の第１角度で傾斜することができ、第１処理装置１１０の前面に設けられるドア１１４も地面に垂直な仮想の直線を基準に所定の第１角度で傾斜することがきる。
【００７９】
この場合、ドア１１４の下端部は、ドア１１４が閉じた場合、第１処理装置１１０において、支持部１１１の前方面から遠ざかる方向に最大限突出した形態を有するようになる。
【００８０】
一方、図２に示すように、洗濯装置１００の前方面に設けられた傾斜部は、所定の第１角度で傾斜した第１傾斜面１０００と、所定の第２角度で傾斜した第２傾斜面１１００と、地面に対して実質的に垂直な直線部１２００とを備えることができる。
【００８１】
第１傾斜面１０００は、洗濯装置１００の上部から下部に向かって前方に突出するように傾斜して設けられ、第２傾斜面１１００は、地面に垂直な仮想線を基準に第１傾斜面１０００と反対方向に傾斜するように設けられる。
【００８２】
すなわち、第１傾斜面１０００及び第２傾斜面１１００は前述した第１処理装置１１０の前方面に設けられ、第１傾斜面１０００と第２傾斜面１１００とが会う連結面は、第２処理装置１１３の前方面または支持部１１１の前方面から遠ざかる方向に突出して設けられる。
【００８３】
この場合、第１処理装置１１０の開口部１１９及びドア１１４は第１傾斜面１０００に設けられる。
【００８４】
ドア１１４によって第１傾斜面１０００の少なくとも一部の領域が覆われ、本実施例では、図１に示すように、ドア１１４が閉じる場合に、第１傾斜面１０００の実質的に大部分の領域、例えば、第１傾斜面の８０〜９０％以上の領域がドアによって覆われるようになる。
【００８５】
このように、第１処理装置１１０の第１傾斜面１０００の大部分がドア１１４によって覆われる場合、洗濯装置１００を操作するコントロールパネル１４０はドア１１４に備えることが好ましい。
【００８６】
仮に、コントロールパネル１４０を第１処理装置１１０のドア１１４によって覆われる領域に備えると、コントロールパネル１４０の操作のためにドア１１４を開放しなければならない面倒さがあるからである。したがって、コントロールパネル１４０は、ドア１１４の前面部、すなわち、ドア１１４が閉じた場合にもコントロールパネル１４０が露出するように備えることができる。
【００８７】
乾燥装置２００の場合にも、ドア２１４にコントロールパネル２４０を備えることができ、具体的な構成は洗濯装置と似ているので、反復的な説明は省略する。
【００８８】
一方、直線部１２００は、第２傾斜面１１００から延びており、地面に対して垂直に設けられるか、または第２処理装置１１３の前方面と並んだ平面を形成するように設けられて、上述した支持部１１１を形成するようになる。すなわち、支持部１１１は、地面に対して垂直に設けられるか、または第２処理装置の前方面と並んだ平面を形成するように設けられて、第１処理装置１１０を支持するようになる。
【００８９】
図３は、ドア１１４が開放された状態の洗濯装置１００を示す。
【００９０】
図３を参照すると、ドア１１４は、使用者がドア１１４を開閉できるように取っ手部１１６を備え、さらに、第１処理装置１１０の内部を見ることができるように透明部１１５を備える。
【００９１】
また、ドア１１４は、最大限開放される最大開放角度が予め設定されており、ドア１１４が所定角度以下に開放される場合には開放角度が維持されるが、所定角度以上にドアが開放される場合には最大開放角度まで自ら回転するように備えることができる。
【００９２】
一方、第１処理装置１１０の前面部、例えば、第１傾斜面１０００には、ドア１１４が閉じる場合にドア１１４を収納する収納部３１０を備えることができる。
【００９３】
すなわち、ドア１１４が閉じる場合にドア１１４が第１処理装置１１０から突出しないように収納部３１０を備える。
【００９４】
開口部１１９の上部、具体的に開口部１１９の上部に位置した収納部３１０には、使用者が洗濯対象物を投入するときに第１処理装置１１０の内部を確認できるように発光部１１８を備えることができる。
【００９５】
発光部１１８は、ドア１１４が開放される場合にのみ光を照らすように備えることができる。例えば、ドア１１４の開放を感知するセンサを備えて、センサの信号によって、制御部が発光部１１８を駆動するか否かを調節するか、または機械式または回路の構成によって、ドア１１４が開放される場合に直ちに発光部１１８が作動するように構成することができる。
【００９６】
一方、発光部１１８は、ドア１１４が開放される場合にのみ光を発光するので、ドア１１４が開口部１１９を閉鎖する場合にドア１１４によって覆われる領域である収納部３１０に設けられることが好ましい。
【００９７】
さらに、開口部１１９の下部、すなわち、開口部１１９の下部に位置した収納部３１０には、洗剤などを投入できる少なくとも一つの洗剤投入部１３０を備えることができる。すなわち、洗剤投入部１３０は、例えば、本洗いのための本洗い洗剤投入口１３１、予備洗いのための予備洗い洗剤投入口１３２、柔軟剤投入口１３３などを備えることができる。
【００９８】
使用者は、洗剤投入部１３０を介して洗剤を投入することができ、洗剤は、給水部（図示せず）によって供給された洗濯水と共にドラム１２１の内部に供給される。
【００９９】
このような洗剤投入部１３０は、洗濯を行う場合にのみ活用されるので、ドア１１４が開口部１１９を閉鎖する場合にドア１１４によって覆われる領域である収納部３１０に設けることが好ましい。
【０１００】
結果的に、ドア１１４は、開口部１１９及び洗剤投入部１３０を選択的に開閉するように備えられ、さらに、発光部１１８も選択的に露出させるように備えられる。
【０１０１】
一方、ドア１１４を収納する収納部３１０は、上部と下部にそれぞれ上部傾斜部３１２と下部傾斜部３１４を備える。
【０１０２】
上部傾斜部３１２及び下部傾斜部３１４はドア１１４を収納できるように開口部１１９に向かって傾斜した形態を有する。この場合、前述した発光部１１８は上部傾斜部３１２に設けることができ、洗剤投入部１３０は下部傾斜部３１４に設けることができる。
【０１０３】
洗剤投入部１３０が設けられる下部傾斜部３１４は、地面に対して垂直な仮想線を基準に所定の角度で傾斜して設けられ、角度は、前述した第１傾斜面１０００またはドア１１４の第１角度よりも大きくすることができる。
【０１０４】
すなわち、下部傾斜部３１４が、地面に対して垂直な線を基準に、第１角度に比べてその角度がさらに大きいので、地面に対してはさらに緩やかな形態で設けられる。これは、洗剤投入部１３０が設けられた下部傾斜部３１４が地面と垂直になるほど、洗剤投入部１３０を介して洗剤を投入することが容易でないからである。したがって、洗剤投入部１３０が設けられる下部傾斜部３１４の角度は、地面に対して垂直な直線を基準に第１角度よりも大きく設けられる。
【０１０５】
一方、図４は、乾燥装置２００のドア２１４が開放された状態を示す。
【０１０６】
乾燥装置２００の場合、ドア２１４は、洗濯装置１００のドア開放方向と異なる方向に開放されるように設けることが好ましい。すなわち、洗濯装置を乾燥装置と並んで配置する場合、各ドアは外側に向かって開放されるように設ける。これは、洗濯を終えた洗濯対象物を直ちに乾燥装置に投入する場合、ドアによって干渉を受けずに容易に洗濯対象物を乾燥装置に投入するためである。
【０１０７】
乾燥装置２００のドア２１４も取っ手部２１６及び透明部２１５を備える。一方、乾燥装置２００の場合にも、ドア２１４が収納される収納部１３１０及び発光部２１８を備える。これについては、洗濯装置の構成と似ているので反復説明は省略する。
【０１０８】
乾燥装置２００の場合、洗剤の投入を必要としないので、乾燥装置には洗剤投入部を備えなくともよい。但し、乾燥装置２００は、洗濯対象物にスチームのような高温の水分をドラム２２０に供給するためのスチーム発生装置（図示せず）を備えることができる。
【０１０９】
この場合、スチーム発生装置は、水を加熱して高温の水分を供給するようになるので、スチーム発生装置に水を供給するための水分投入部２３０を必要とする。したがって、乾燥装置２００は、収納部１３１０の下部傾斜部１３１４に設けられる水分投入部２３０を含むことができる。
【０１１０】
下部傾斜部１３１４の角度は、洗濯装置と同様に、ドア２１４の設置角度に比べて大きく設けられることによって、使用者にとって水分の投入を容易にする。結局、ドア２１４は、開口部２１９及び水分投入部２３０を選択的に開閉し、さらに、発光部２１８も選択的に露出させる。
【０１１１】
一方、上述した実施例は、洗濯装置１００に洗剤投入部１３０が設けられ、乾燥装置２００に水分投入部２３０が設けられる場合を説明したが、本発明の構造を上述した内容に限定する必要はない。
【０１１２】
例えば、洗濯装置１００にスチーム発生装置及び水分投入部を設ける構成も可能である。この場合、洗濯装置の下部傾斜部に洗剤投入部と水分投入部を並んで配置することができる。
【０１１３】
図５は、第２処理装置１１３の構成の例を示す斜視図である。
【０１１４】
第２処理装置１１３は、引き出し可能に設けられるドロア１６０を備える。ドロア１６０は、前方面１６２とボディー部１６４を備え、ボディー部１６４の内部には、洗濯対象物が収納される第２空間１１２を提供するドラム１７０を備えることができる。
【０１１５】
この場合、ドラム１７０は回転可能に設けてもよく、固定されていてもよい。但し、ドラムが固定された形態で設けられる場合、ドラム１７０の下部には回転可能なパルセーター１１９を備えることができる。
【図１】
2014527448.tif 000003
【図２】
2014527448.tif 000004
【図３】
2014527448.tif 000005
【図４】
2014527448.tif 000006
【図５】
2014527448.tif 000007
【図６】
2014527448.tif 000008
【国際調査報告】
2014527448.tif 000009
2014527448.tif 000010